(57)【要約】【課題】表示装置の重量化を回避しつつ、シャーシの剛性を高め、かつ線状光源の損傷を防ぐことが可能な表示装置用照明装置、表示装置およびテレビ受信装置を提供する。【解決手段】表示パネル１１を備えた表示装置１０に用いる表示装置用照明装置２０であって、複数の線状光源２１と、前記複数の線状光源２１を収容するシャーシ２２と、を有し、前記複数の線状光源２１は、並列して配置され、前記シャーシ２２のうち前記表示パネル１１と対向して配置される底板２２Ａには、前記線状光源２１を前記底板２２Ａから所定の距離だけ離れた位置に保持するランプ保持部材３０が取り付けられ、前記底板２２Ａには、この底板２２Ａのうち他の部分よりも高い剛性を有する高剛性部５０が、前記線状光源２１の軸線方向に沿う方向に延びる形状で形成されている。【選択図】図３
2012003978.tif 000002
【特許請求の範囲】
【請求項１】
表示パネルを備えた表示装置に用いる表示装置用照明装置であって、
複数の線状光源と、前記複数の線状光源を収容するシャーシと、を有し、
前記複数の線状光源は、並列して配置され、
前記シャーシのうち前記表示パネルと対向して配置される底板には、前記線状光源を前記底板から所定の距離だけ離れた位置に保持するランプ保持部材が取り付けられ、
前記底板には、この底板のうち他の部分よりも高い剛性を有する高剛性部が、前記線状光源の軸線方向に沿う方向に延びる形状で形成されている、
表示装置用照明装置。
【請求項２】
前記高剛性部は、前記底板を前記ランプ保持部材が取り付けられる側とは反対側に突出させることで形成された突条である請求項１に記載の表示装置用照明装置。
【請求項３】
前記複数の線状光源は、軸線が互いにずれる位置に並べて配置されており、
前記高剛性部は、前記線状光源の並列方向と同方向に、複数が並んで形成されている請求項１または請求項２に記載の表示装置用照明装置。
【請求項４】
前記底板には、前記線状光源の長さ寸法と同等の長さ寸法を有する前記高剛性部が形成されている請求項１ないし請求項３のいずれか一項に記載の表示装置用照明装置。
【請求項５】
前記底板には、前記線状光源の長さ寸法よりも小さい長さ寸法を有する前記高剛性部が、複数形成されている請求項１ないし請求項４のいずれか一項に記載の表示装置用照明装置。
【請求項６】
前記底板には、長さ寸法の異なる複数の前記高剛性部が形成され、
前記複数の高剛性部のうち長さ寸法の大きい第一高剛性部が、前記底板の中央部に形成され、
前記複数の高剛性部のうち前記第一高剛性部よりも長さ寸法の小さい第二高剛性部が、前記底板のうち前記第一高剛性部を間に挟んで対称となる位置に形成されている請求項１ないし請求項５のいずれか一項に記載の表示装置用照明装置。
【請求項７】
前記第二高剛性部は、前記底板のうち前記第一高剛性部の延長方向における両端部および中央部にそれぞれ並ぶ位置に形成され、
前記第二高剛性部のうち前記第一高剛性部の中央部と並ぶ第二中央高剛性部は、前記第一高剛性部の両端部と並ぶ第二端高剛性部よりも、前記第一高剛性部に接近した位置に形成されている請求項６に記載の表示装置用照明装置。
【請求項８】
前記複数の線状光源は、軸線が互いにずれる位置に並べて配置されており、
前記底板には、前記底板のうち他の部分よりも高い剛性を有し、かつ前記高剛性部と同等もしくはそれよりも低い剛性を有する補助剛性部が、前記高剛性部の延長方向と交差する方向に延びる形状で形成されている請求項１ないし請求項７のいずれか一項に記載の表示装置用照明装置。
【請求項９】
前記補助剛性部は、前記底板の中央部とその周囲とに形成され、そのうち前記底板の中央部に形成された第一補助剛性部は、前記底板の周囲に形成された第二補助剛性部よりも、高い剛性を有している請求項８に記載の表示装置用照明装置。
【請求項１０】
前記補助剛性部は、一の前記高剛性部の延長方向における一端部と、他の前記高剛性部の延長方向における一端部とを連結するものである請求項８または請求項９に記載の表示装置用照明装置。
【請求項１１】
前記シャーシを支持するスタンドを有し、
前記スタンドは、前記底板の前記ランプ保持部材が取り付けられる側とは反対側の面に沿って配される補強柱を備えている請求項１ないし請求項１０のいずれか一項に記載の表示装置用照明装置。
【請求項１２】
請求項１ないし請求項１１のいずれか一項に記載の表示装置用照明装置と、前記表示装置用照明装置からの光を利用して表示を行う表示パネルとを備える表示装置。
【請求項１３】
前記表示パネルが液晶を用いた液晶パネルである請求項１２に記載の表示装置。
【請求項１４】
請求項１２又は請求項１３に記載の表示装置を備えることを特徴とするテレビ受信装置。
【発明の詳細な説明】
【技術分野】
【０００１】
本発明は、表示装置用照明装置、表示装置およびテレビ受信装置に関する。
【背景技術】
【０００２】
例えば液晶テレビの表示装置等、自発光しない表示パネルを用いるものには、一般に、表示装置用の照明装置が備えられている。この種の照明装置として、多数本の線状光源（冷陰極管等）と、線状光源を収容するシャーシとを有するものが知られている（例えば特許文献１）。シャーシは、金属製の板材からなり、そのうち表示パネルと対向して配される底板には、線状光源を保持するランプクリップが取り付けられている。線状光源は、それぞれ軸線方向の複数個所をランプクリップに保持されることで、シャーシの底板から一定距離だけ離れて位置している。
【先行技術文献】
【特許文献】
【０００３】
【特許文献１】特開２００７−３３９６２号公報
【発明の概要】
【発明が解決しようとする課題】
【０００４】
ところで、近年においては、表示装置の大型化が顕著であるため、シャーシの反りを防ぐべく、その剛性を高める必要がある。ところが、シャーシの剛性を高めるために全体の板厚を増すことは、表示装置の重量化を招くため好ましくない。
【０００５】
そこで、シャーシの底板の複数個所に、他の部分よりも剛性の高い高剛性部を形成することで、表示装置の重量化を回避しつつ、必要な剛性を確保することが考えられる。しかし、シャーシの底板の複数個所に高剛性部を形成すると、一の高剛性部と他の高剛性部との間で高低差が生じ、一の線状光源を支持している複数のランプクリップ間において、その取付位置に高低差が生じてしまう虞がある。ランプクリップの取付位置に高低差が生じると、そのランプクリップに保持されている線状光源にストレスがかかり、ストレスが過大になると線状光源の損傷を招く虞があるため、対策が望まれていた。
【０００６】
本発明は上記のような事情に基づいて完成されたものであって、表示装置の重量化を回避しつつ、シャーシの剛性を高め、かつ線状光源の損傷を防ぐことが可能な表示装置用照明装置、表示装置およびテレビ受信装置を提供することを目的とする。
【課題を解決するための手段】
【０００７】
本発明の表示装置用照明装置は、表示パネルを備えた表示装置に用いる表示装置用照明装置であって、複数の線状光源と、前記複数の線状光源を収容するシャーシと、を有し、前記複数の線状光源は、並列して配置され、前記シャーシのうち前記表示パネルと対向して配置される底板には、前記線状光源を前記底板から所定の距離だけ離れた位置に保持するランプ保持部材が取り付けられ、前記底板には、この底板のうち他の部分よりも高い剛性を有する高剛性部が、前記線状光源の軸線方向に沿う方向に延びる形状で形成されているものである。
【０００８】
このような構成によれば、シャーシの底板に形成された高剛性部により、シャーシの剛性を高めることができる。また、高剛性部は、シャーシの底板の一部分に形成されるのみであるから、表示装置の重量化を回避することができる。さらに、シャーシの底板は、高剛性部の延長方向に沿って平坦になる、すなわち線状光源の軸線方向に沿う方向に平坦になるから、一の線状光源を保持するランプ保持部材の間で高低差が生じることを防ぐことができる。したがって、本発明によれば、表示装置の重量化を回避しつつ、シャーシの剛性を高め、かつ線状光源の損傷を防ぐことができる。
【０００９】
また、前記高剛性部は、前記底板を前記ランプ保持部材が取り付けられる側とは反対側に突出させることで形成された突条であるものとしてもよい。
また、前記複数の線状光源は、軸線が互いにずれる位置に並べて配置されており、前記高剛性部は、前記線状光源の並列方向と同方向に、複数が並んで形成されているものとしてもよい。このような構成によれば、シャーシの底板は、広範囲にわたり線状光源の軸線方向に沿う方向に平坦になる。
【００１０】
また、前記底板には、前記線状光源の長さ寸法と同等の長さ寸法を有する前記高剛性部が形成されているものとしてもよい。このような構成によれば、線状光源のほぼ全長にわたりシャーシの底板が平坦になるから、線状光源の損傷を確実に防ぐことができる。
また、前記底板には、前記線状光源の長さ寸法よりも小さい長さ寸法を有する前記高剛性部が、複数形成されているものとしてもよい。このような構成によれば、シャーシの底板に、線状光源の長さ寸法と同等の長さ寸法を有する高剛性部を形成するだけのスペースを確保できない場合に有利である。
【００１１】
また、前記底板には、長さ寸法の異なる複数の前記高剛性部が形成され、前記複数の高剛性部のうち長さ寸法の大きい第一高剛性部が、前記底板の中央部に形成され、前記複数の高剛性部のうち前記第一高剛性部よりも長さ寸法の小さい第二高剛性部が、前記底板のうち前記第一高剛性部を間に挟んで対称となる位置に形成されているものとしてもよい。このような構成によれば、バランスよく、底板の剛性を高めることができる。
【００１２】
また、前記第二高剛性部は、前記底板のうち前記第一高剛性部の延長方向における両端部および中央部にそれぞれ並ぶ位置に形成され、前記第二高剛性部のうち前記第一高剛性部の中央部と並ぶ第二中央高剛性部は、前記第一高剛性部の両端部と並ぶ第二端高剛性部よりも、前記第一高剛性部に接近した位置に形成されているものとしてもよい。
【００１３】
また、前記複数の線状光源は、軸線が互いにずれる位置に並べて配置されており、前記底板には、前記底板のうち他の部分よりも高い剛性を有し、かつ前記高剛性部と同等もしくはそれよりも低い剛性を有する補助剛性部が、前記高剛性部の延長方向と交差する方向に延びる形状で形成されているものとしてもよい。
【００１４】
このような構成によれば、シャーシの底板は、高剛性部の延長方向のみならず、これと交差する方向にも平坦になるから、並列する線状光源間の高低差を小さくすることができる。また、補助剛性部の剛性は高剛性部の剛性と同等もしくは低いものとされているから、線状光源の軸線方向に沿う方向の平坦性を、維持することができる。
【００１５】
また、前記補助剛性部は、前記底板の中央部とその周囲とに形成され、そのうち前記底板の中央部に形成された第一補助剛性部は、前記底板の周囲に形成された第二補助剛性部よりも、高い剛性を有しているものとしてもよい。このように、シャーシの底板のうち最も撓みやすい中央部に、比較的高い剛性を有する第一補助剛性部を形成することで、効率よく底板を平坦化することができる。
【００１６】
また、前記補助剛性部は、一の前記高剛性部の延長方向における一端部と、他の前記高剛性部の延長方向における一端部とを連結するものとしてもよい。
また、前記シャーシを支持するスタンドを有し、前記スタンドは、前記底板の前記ランプ保持部材が取り付けられる側とは反対側の面に沿って配される補強柱を備えているものとしてもよい。
【００１７】
本発明の表示装置は、前記表示装置用照明装置と、前記表示装置用照明装置からの光を利用して表示を行う表示パネルとを備えるものである。
また、前記表示パネルが液晶を用いた液晶パネルであるものとしてもよい。
本発明のテレビ受信装置は、前記表示装置を備えるものである。
【発明の効果】
【００１８】
本発明によれば、表示装置の重量化を回避しつつ、シャーシの剛性を高め、かつ線状光源の損傷を防ぐことが可能な表示装置用照明装置、表示装置およびテレビ受信装置を提供することができる。
【図面の簡単な説明】
【００１９】
【図１】実施形態１にかかるテレビ受信装置の概略構成を示す分解斜視図
【図２】液晶表示装置の概略構成を示す分解斜視図
【図３】高剛性部の形態を示す照明装置の平面図
【図４】液晶表示装置の短辺方向に沿った断面構成を示す断面図
【図５】液晶表示装置の長辺方向に沿った断面構成を示す断面図
【図６】液晶表示装置の概略背面図
【図７】実施形態２にかかる高剛性部および補助剛性部の形態を示す照明装置の平面図
【図８】実施形態３にかかる高剛性部および補助剛性部の形態を示す照明装置の平面図
【発明を実施するための形態】
【００２０】
＜実施形態１＞
以下、本発明を具体化した実施形態１について、図１〜図６を参照しつつ詳細に説明する。本実施形態では、液晶表示装置（表示装置）１０を備えるテレビ受信装置ＴＶについて例示する。
【００２１】
本実施形態に係るテレビ受信装置ＴＶは、図１に示すように、液晶表示装置１０と、当該液晶表示装置１０を挟むようにして収容する表裏両キャビネットＣａ，Ｃｂと、スタンド４０とを備えて構成される。以下、各構成部材において、図１の左下側（テレビ受信装置ＴＶの正面側、表示側）を表方、右上側を裏方とし、また上側を上方、下側を下方として説明する。
【００２２】
液晶表示装置１０は、図２に示すように、液晶パネル（表示パネル）１１と、外部光源である表示装置用照明装置（以後、単に照明装置２０と称する）とを備え、これらがベゼル１２などにより一体的に保持されてなるものである。本実施形態では、液晶表示装置１０は、全体として横長の方形をなし、縦置き状態、つまり液晶パネル１１のパネル面（表示面）１１Ａが鉛直方向とほぼ平行をなす形で使用される。
【００２３】
液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極と、Ｒ，Ｇ，Ｂ等の各着色部が所定配列で配置されたカラーフィルタ等が設けられている。
【００２４】
照明装置２０は、所謂直下型の照明装置２０であって、液晶パネル１１のパネル面１１Ａの背面直下となる位置に、複数の線状光源（ここでは高圧放電管として冷陰極管２１を用いている）を具備した構成となっている。
照明装置２０は、複数の冷陰極管２１を収容するシャーシ２２を備えている。シャーシ２２は金属板金により形成され、表面側（液晶パネル１１側）に開口した浅い略箱型をなしている。シャーシ２２は、矩形状をなす底板２２Ａとその周縁から表側に立ち上がる側板２２Ｂとを有している。
【００２５】
シャーシ２２には、その開口を覆うようにして光学部材２３が取り付けられている。光学部材２３は、図２の下側（シャーシ２２側）から順に拡散板、拡散シート、レンズシート、光学シートとを有してなる。光学部材２３の表面側には、光学部材２３をシャーシ２２に保持するための金属製のフレーム２４が設置されている。
【００２６】
シャーシ２２内には、冷陰極管２１と、冷陰極管２１をシャーシ２２に取り付けるためのランプクリップ（ランプ保持部材）３０と、冷陰極管２１の端部を支持する中継コネクタ２５と、冷陰極管２１群の端部及び中継コネクタ２５を一括して覆うホルダ２６とが備えられている。
【００２７】
冷陰極管２１は、細長い管状をなし、その長さ方向（軸線方向）をシャーシ２２の長手方向と一致させた状態で、かつ軸線が互いにずれる位置、言い換えると、多数本が互いに略平行をなす位置に並べられてシャーシ２２内に収容されている。冷陰極管２１は、ランプクリップ３０に把持されることで、シャーシ２２の底板２２Ａから所定の距離だけ離れた位置に保持され、冷陰極管２１と底板２２Ａとの間には僅かな間隙が設けられている。なお、シャーシ２２の底板２２Ａは、液晶パネル１１と略平行をなすように対向して配置される。
【００２８】
各冷陰極管２１は、それぞれ複数箇所（本実施形態では少なくとも三箇所以上）をランプクリップ３０に把持されている。また、各冷陰極管２１の軸線方向の両端部は、それぞれ中継コネクタ２５に嵌め込まれ、これら中継コネクタ２５を被覆するように、ホルダ２６が取り付けられている。ホルダ２６は、白色を呈する合成樹脂製とされ、シャーシ２２の短手方向に沿って延びる細長い略箱型をなしている。なお、シャーシ２２の底板２２Ａには、その長辺方向の両端部に、中継コネクタ２５を取り付けるための取付孔２８が複数穿設されている。
【００２９】
冷陰極管２１を保持するランプクリップ３０は、合成樹脂製（例えばポリカーボネート製）であって、表面が光の反射性に優れた白色とされている。ランプクリップ３０は、図４に示すように、冷陰極管２１を把持するランプ把持部３１と、シャーシ２２に係止する係止部３２とを備えている。本実施形態では、一のランプクリップ３０に３つのランプ把持部３１が備えられ、各ランプクリップ３０は、３本の冷陰極管２１を一度に保持可能とされている。これらランプ把持部３１は、細長い略矩形の板状をなすベース部３３に並んで設けられている。なお、ベース部３３には、光学部材２３を裏側から支持して、その裏側（冷陰極管２１側）への撓みや反りを規制する突出ピン３４が設けられている。
【００３０】
ランプ把持部３１は、ベース部３３の長手方向における両端部と中央部とに設けられている。各ランプ把持部３１の間隔は、冷陰極管２１の並列ピッチと一致している。各ランプ把持部３１は、冷陰極管２１を弾性的に挟持する一対のアーム部３１Ａを有し、全体として表側へ開口した略環状をなしている。
【００３１】
係止部３２は、ベース部３３の裏面（ランプ把持部３１側とは反対側の面）に一対、ベース部３３の長手方向の両端部に設けられている。係止部３２は、シャーシ２２の底板２２Ａに形成された係止口２９に弾性的に係止する一対の係止脚３２Ａを有している。
【００３２】
ランプクリップ３０は、ベース部３３の長手方向が冷陰極管２１の並列方向と一致する（冷陰極管２１の軸線方向と略直交する）向きで、シャーシ２２の底板２２Ａに分散して取り付けられている。
【００３３】
シャーシ２２の底板２２Ａの内面側（冷陰極管２１の光出射側とは反対側）には、反射シート３５が配設されている。反射シート３５は合成樹脂製とされ、その表面が光反射性に優れた白色とされている。反射シート３５は、シャーシ２２の内面に沿ってそのほぼ全域を覆うように敷かれて一体化され、シャーシ２２の壁面（光反射面）を構成している。
【００３４】
シャーシ２２の裏面（冷陰極管２１が配設された側とは反対側の外面）には、インバータ基板等の各種回路基板３６が備えられている（図２参照）。回路基板３６は、合成樹脂製の略板状をなす基材に様々な電子部品が実装されたものであり、それぞれシャーシ２２の長辺方向における両端部および中央部に備えられている。なお、回路基板３６は、図２以外の図面では省略している。
【００３５】
そして、シャーシ２２の底板２２Ａには、複数の高剛性部５０が形成されている（図３参照）。高剛性部５０は、底板２２Ａのうち他の部分よりも高い剛性（底板２２Ａの長辺方向の剛性）を有する部分であり、冷陰極管２１の軸線方向に沿う方向（シャーシ２２の長辺方向）に延びる形状で形成されている。高剛性部５０は、シャーシ２２の底板２２Ａを、裏側（ランプクリップ３０が取り付けられる側とは反対側）に突出させる（凹ませる）ことで形成された突条である。全ての高剛性部５０は、図４に示すように、ほぼ同じ幅寸法および突出寸法（凹み寸法、深さ寸法）をなすものであり、すなわち全ての高剛性部５０は、同等の剛性を有している。なお、シャーシ２２の底板２２Ａのうち高剛性部５０と他の部分とでは、金属板金自体の厚さ寸法は同等とされている。
【００３６】
高剛性部５０は、図３に示すように、冷陰極管２１の並列方向と同方向（シャーシ２２の短辺方向、上下方向）に、複数（本実施形態では５本）が並んで形成されている。高剛性部５０は、互いに略平行をなし、ほぼ等間隔をあけて位置している。詳しくは、高剛性部５０は、シャーシ２２の底板２２Ａを短辺方向に等分割する（本実施形態では、底板２２Ａを６つの領域に等分割する）位置に形成されている。また、全ての高剛性部５０は、ほぼ等しい長さ寸法を有し、その長さ寸法は、冷陰極管２１の長さ寸法と同等とされている。各高剛性部５０は、底板２２Ａのうち隣り合う冷陰極管２１の間となる位置に形成されている。高剛性部５０は、底板２２Ａの短辺方向の中心線および長辺方向の中心線のそれぞれを間に挟んで対称をなしている。
【００３７】
照明装置２０には、スタンド４０が備えられている。スタンド４０は、シャーシ２２の下側に取り付けられてシャーシ２２を支持することで、液晶表示装置１０を縦置き姿勢に保持する（図６参照）。
スタンド４０は、台座部４１と、台座部４１から鉛直方向に立ち上がる軸部４２とを有している。スタンド４０は、シャーシ２２に対して、軸部４２の軸線がシャーシ２２の長辺方向における中心線と一致する位置に取り付けられる。
【００３８】
スタンド４０は、シャーシ２２の裏面（ランプクリップ３０が取り付けられる側とは反対側の面）に沿って配される一対の補強柱４３を備えている。補強柱４３は、金属板材を折り曲げることで、全体として細長い柱状に形成されてなる。補強柱４３は、スタンド４０の軸部４２を挟んで対称となる位置に一対備えられている。
【００３９】
一対の補強柱４３は互いに略平行をなし、シャーシ２２の底板２２Ａに形成された高剛性部５０と略直交に交差している。補強柱４３は、シャーシ２２の底板２２Ａを鉛直方向（シャーシ２２の短手方向）に横切るだけの長さ寸法（底板２２Ａの短辺と同等の長さ寸法）を有し、シャーシ２２の下端縁から上端縁にわたり直線状に延びている。一対の補強柱４３は、それぞれシャーシ２２の底板２２Ａに対してねじ止めされるとともに、下端部が、軸部４２の上端に備えられた受け部４４に対してねじ止めされている。なお、受け部４４は、軸部４２の上端から両側方に突出するとともに、その突出端部が上方に立ち上がった形状をなしている。
【００４０】
上記のように構成された実施形態１によれば、以下の効果を奏する。
本実施形態の照明装置２０は、液晶パネル１１を備えた液晶表示装置１０に用いる照明装置２０であって、複数の冷陰極管２１と、複数の冷陰極管２１を収容するシャーシ２２と、を有し、複数の冷陰極管２１は、並列して配置され、シャーシ２２のうち液晶パネル１１と対向して配置される底板２２Ａには、冷陰極管２１を底板２２Ａから所定の距離だけ離れた位置に保持するランプクリップ３０が取り付けられ、底板２２Ａには、この底板２２Ａのうち他の部分よりも高い剛性を有する高剛性部５０が、冷陰極管２１の軸線方向に沿う方向に延びる形状で形成されている。
【００４１】
このシャーシ２２の底板２２Ａに形成された高剛性部５０により、シャーシ２２の剛性を高めることができる。また、高剛性部５０は、シャーシ２２の底板２２Ａの一部分に形成されるのみであるから、液晶表示装置１０の重量化を回避することができる。さらに、シャーシ２２の底板２２Ａは、高剛性部５０の延長方向に沿って平坦になる、すなわち冷陰極管２１の軸線方向に沿う方向に平坦になるから、一の冷陰極管２１を保持するランプクリップ３０の間で高低差ができることを防ぐことができる。
したがって、液晶表示装置１０の重量化を回避しつつ、シャーシ２２の剛性を高め、かつ冷陰極管２１の損傷を防ぐことができる。
【００４２】
また、複数の冷陰極管２１は、軸線が互いにずれる位置に並べて配置されており、高剛性部５０は、冷陰極管２１の並列方向と同方向に、複数が並んで形成されている。これにより、シャーシ２２の底板２２Ａは、広範囲にわたって冷陰極管２１の軸線方向に沿う方向に平坦になる。
【００４３】
また、シャーシ２２の底板２２Ａには、冷陰極管２１の長さ寸法と同等の長さ寸法を有する高剛性部５０が形成されている。これにより、冷陰極管２１のほぼ全長にわたってシャーシ２２の底板２２Ａが平坦になるから、冷陰極管２１の損傷を確実に防ぐことができる。
【００４４】
＜実施形態２＞
次に、本発明を具体化した実施形態２に係るテレビ受信装置ＴＶを図７によって説明する。
本実施形態のテレビ受信装置ＴＶは、シャーシ２２の底板２２Ａに、底板２２Ａのうち他の部分よりも高い剛性を有し、かつ高剛性部５０と同等もしくはそれよりも低い剛性を有する補助剛性部６０が、高剛性部５０の延長方向と交差する方向に延びる形状で形成されている点で、実施形態１とは相違する。なお、実施形態１と同様の構成には同一符号を付して重複する説明を省略する。
【００４５】
本実施形態に係るテレビ受信装置ＴＶは、実施形態１と同様に、液晶表示装置１０と、当該液晶表示装置１０を挟むようにして収容する表裏両キャビネットＣａ，Ｃｂと、スタンド４０とを備えて構成される。そして、液晶表示装置１０は、実施形態１と同様、液晶パネル１１と照明装置２０とを備え、照明装置２０は、複数の冷陰極管２１と、これらを収容するシャーシ２２とを具備した構成となっている。シャーシ２２の底板２２Ａには、実施形態１と同様、複数（実施形態１と同様に５本）の高剛性部５０が並んで形成されている。
【００４６】
そして、シャーシ２２の底板２２Ａには、高剛性部５０に加えて、さらに複数（本実施形態では８本）の補助剛性部６０が形成されている。補助剛性部６０は、高剛性部５０と同様に、底板２２Ａを裏側に突出させることで形成された突条であり、底板２２Ａの他の部分よりも高い剛性（底板２２Ａの短辺方向の剛性）を有する部分である。補助剛性部６０は、その幅寸法および突出寸法がともに高剛性部５０の幅寸法および突出寸法よりも小さくされ、高剛性部５０よりも剛性が低く設定されている。なお、シャーシ２２の底板２２Ａのうち補助剛性部６０と他の部分とでは、金属板金自体の厚さ寸法は同等とされている。
【００４７】
補助剛性部６０は、シャーシ２２の底板２２Ａの中央部とその周囲とに形成されている。補助剛性部６０のうち底板２２Ａの中央部に形成された第一補助剛性部６０Ａは、底板２２Ａのうち周囲に形成された第二補助剛性部６０Ｂよりも、高い剛性を有している。
【００４８】
第一補助剛性部６０Ａは、本実施形態では４本が形成されている。全ての第一補助剛性部６０Ａは、ほぼ同じ幅寸法および突出寸法（凹み寸法、深さ寸法）を有するものとされ、すなわちこれら第一補助剛性部６０Ａは、互いに同等の剛性を有している。
【００４９】
第一補助剛性部６０Ａは、複数の高剛性部５０のうち略中央（底板２２Ａの短辺方向の略中央）に位置する高剛性部５０と、この高剛性部５０の上下に隣り合う高剛性部５０との間の位置に形成されている。第一補助剛性部６０Ａは、底板２２Ａの中央に位置する高剛性部５０の上方および下方に一対ずつ、その高剛性部５０を挟んで対称位置に設けられている。第一補助剛性部６０Ａは、高剛性部５０に対して直角をなす方向に延びる形状をなし、その長さ寸法は、隣り合う高剛性部５０の間の間隔と同等の寸法とされている。すなわち第一補助剛性部６０Ａの長さ方向の一端は、隣り合う高剛性部５０のうち一方の高剛性部５０に接し、他端は、他方の高剛性部５０に接している。
【００５０】
第二補助剛性部６０Ｂは、本実施形態では４本が形成されている。全ての第二補助剛性部６０Ｂは、ほぼ同じ幅寸法および突出寸法（凹み寸法、深さ寸法）とされ、すなわちこれら第二補助剛性部６０Ｂは、同等の剛性を有している。第二補助剛性部６０Ｂは、その幅寸法および突出寸法がともに第一補助剛性部６０Ａの幅寸法および突出寸法よりも小さくされ、第一補助剛性部６０Ａよりも剛性が低く設定されている。
【００５１】
第二補助剛性部６０Ｂは、高剛性部５０に対して直角をなす方向（第一補助剛性部６０Ａと略平行をなす方向）に延びる形状をなし、その長さ寸法は、第一補助剛性部６０Ａの長さ寸法と同等（隣り合う高剛性部５０の間の間隔と同等）とされている。すなわち、第一補助剛性部６０Ａと同様、第二補助剛性部６０Ｂの長さ方向の一端が、隣り合う高剛性部５０のうち一方の高剛性部５０に接し、他端が、他方の高剛性部５０に接している。
【００５２】
第二補助剛性部６０Ｂは、底板２２Ａのうち第一補助剛性部６０Ａよりも左右両外側であって、かつ上下両外側となる領域、すなわち底板２２Ａの角部付近の領域に、一ずつ形成されている。第二補助剛性部６０Ｂは、複数の高剛性部５０のうち最も上側に位置する高剛性部５０と、この高剛性部５０と隣り合う高剛性部５０との間の位置、および複数の高剛性部５０のうち最も下側に位置する高剛性部５０と、この高剛性部５０と隣り合う高剛性部５０との間に位置している。また、第二補助剛性部６０Ｂは、第一補助剛性部６０Ａと、底板２２Ａの長辺方向における両端縁との間の間隔を、略二等分する位置に形成されている。第二補助剛性部６０Ｂは、底板２２Ａの中央に位置する高剛性部５０を挟んで対称形状をなしている。なお、第一補助剛性部６０Ａおよび第二補助剛性部６０Ｂは、底板２２Ａの長辺方向の中心線を挟んで対称をなしている。
【００５３】
以上のように本実施形態においては、複数の冷陰極管２１は、軸線が互いにずれる位置に並べて配置されており、シャーシ２２の底板２２Ａには、底板２２Ａのうち他の部分よりも高い剛性を有し、かつ高剛性部５０と同等もしくはそれよりも低い剛性を有する補助剛性部６０が、高剛性部５０の延長方向と交差する方向に延びる形状で形成されている。これにより、シャーシ２２の底板２２Ａは、高剛性部５０の延長方向のみならず、これと交差する方向にも平坦になるから、並列する冷陰極管２１間の高低差を小さくすることができる。また、補助剛性部６０の剛性は、高剛性部５０の剛性と同等もしくは低いものとされているから、冷陰極管２１の軸線方向に沿う方向の平坦性を、維持することができる。
【００５４】
また、補助剛性部６０は、シャーシ２２の底板２２Ａの中央部とその周囲とに形成され、そのうち底板２２Ａの中央部に形成された第一補助剛性部６０Ａは、底板２２Ａの周囲に形成された第二補助剛性部６０Ｂよりも、高い剛性を有している。このように、シャーシ２２の底板２２Ａのうち最も撓みやすい中央部に、比較的高い剛性を有する第一補助剛性部６０Ａを形成することで、効率よく底板２２Ａを平坦化することができる。
【００５５】
＜実施形態３＞
次に、本発明を具体化した実施形態３に係るテレビ受信装置ＴＶを図８によって説明する。
本実施形態のテレビ受信装置ＴＶは、シャーシ２２の底板２２Ａに、冷陰極管２１の長さ寸法よりも小さい長さ寸法を有する高剛性部７０が複数形成され、かつシャーシ２２の底板２２Ａに、底板２２Ａのうち他の部分よりも高い剛性を有し、かつ高剛性部７０と同等もしくはそれよりも低い剛性を有する補助剛性部７１が、高剛性部７０の延長方向と交差する方向に延びる形状で形成されている点で、実施形態１とは相違する。なお、実施形態１と同様の構成には同一符号を付して重複する説明を省略する。
【００５６】
本実施形態に係るテレビ受信装置ＴＶは、実施形態１と同様に、液晶表示装置１０と、当該液晶表示装置１０を挟むようにして収容する表裏両キャビネットＣａ，Ｃｂと、スタンド４０とを備えて構成される。そして、液晶表示装置１０は、実施形態１と同様、液晶パネル１１と照明装置２０とを備え、照明装置２０は、複数の冷陰極管２１と、これらを収容するシャーシ２２とを具備した構成となっている。
【００５７】
そして、シャーシ２２の底板２２Ａには、長さ寸法の異なる複数（本実施形態では７本）の高剛性部７０が並んで形成されている。高剛性部７０は、実施形態１と同様、底板２２Ａのうち他の部分よりも高い剛性を有する部分であり、冷陰極管２１の軸線方向に沿う方向（シャーシ２２の長辺方向）に延びる形状で形成されている。また、高剛性部７０は、実施形態１と同様、底板２２Ａを裏側（ランプクリップ３０が取り付けられる側とは反対側）に突出させる（凹ませる）ことで形成された突条である。
【００５８】
複数の高剛性部７０のうち長さ寸法の大きい第一高剛性部７２は、底板２２Ａの中央部に１本が形成されている。第一高剛性部７２は、冷陰極管２１と同等の長さ寸法を有し、底板２２Ａの短辺方向（上下方向）の中央位置に形成されている。
【００５９】
複数の高剛性部７０のうち第一高剛性部７２よりも長さ寸法の小さい第二高剛性部７３は、底板２２Ａに複数（本実施形態では６本）が形成されている。第二高剛性部７３は、第一高剛性部７２とほぼ幅寸法および突出寸法（凹み寸法、深さ寸法）とされ、すなわち全ての第二高剛性部７３は、第一高剛性部７２と同等の剛性を有している。
【００６０】
第二高剛性部７３は、第一高剛性部７２よりも上側の領域と下側の領域とに、半数ずつ（３本ずつ）形成され、第一高剛性部７２を間に挟んで対称をなしている。また、第二高剛性部７３は、底板２２Ａの長辺方向の中心線を間に挟んで対称をなしている。
【００６１】
第二高剛性部７３は、底板２２Ａのうち第一高剛性部７２の延長方向における両端部および中央部にそれぞれ並ぶ位置、言い換えると、底板２２Ａの長辺方向における両端部と中央部とに、それぞれ２本ずつ形成されている。全ての第二高剛性部７３は、第一高剛性部７２と略平行をなし、全ての第二高剛性部７３のうち第一高剛性部７２の中央部と並ぶ第二中央高剛性部７３Ａは、第一高剛性部７２の両端部と並ぶ第二端高剛性部７３Ｂよりも、第一高剛性部７２に接近した位置に形成されている。第二端高剛性部７３Ｂと第一高剛性部７２との間の距離は、第二中央高剛性部７３Ａと第一高剛性部７２との間の距離の約２倍とされ、言い換えると、第二中央高剛性部７３Ａは、第二端高剛性部７３Ｂと第一高剛性部７２との間の中心に位置している。また、第一高剛性部７２の上側に位置する第二端高剛性部７３Ｂ同士、および下側に位置する第二端高剛性部７３Ｂ同士は、同一延長線上に配置されている。
【００６２】
第二中央高剛性部７３Ａは、第二端高剛性部７３Ｂよりも長さ寸法が大きく設定されている。また、一組の第二中央高剛性部７３Ａと第二端高剛性部７３Ｂ（第一高剛性部７２の上方または下方に位置する一の第二中央高剛性部７３Ａと一対の第二端高剛性部７３Ｂ）の長さ寸法を加算した寸法は、第一高剛性部７２の長さ寸法よりも小さくされている。そして、第二端高剛性部７３Ｂの軸線方向の両端のうち第二中央高剛性部７３Ａとは反対側の端の位置と、第一高剛性部７２の軸線方向の端の位置とは、上下方向に揃っており、かつ第二中央高剛性部７３Ａと第二端高剛性部７３Ｂとは、その端の位置が底板２２Ａの長辺方向にずれるように配置されている。なお、全ての第一高剛性部７２および第二高剛性部７３は、底板２２Ａのうち隣り合う冷陰極管２１の間に位置している。
【００６３】
シャーシ２２の底板２２Ａには、高剛性部７０に加えて、さらに複数（本実施形態では４本）の補助剛性部７１が形成されている。補助剛性部７１は、高剛性部７０と同様に、底板２２Ａを裏側に突出させることで形成された突条であって、全ての補助剛性部７１は、ほぼ同じ幅寸法および突出寸法に形成されて同等の剛性を有している。補助剛性部７１は、その幅寸法および突出寸法が、ともに高剛性部７０の幅寸法および突出寸法よりも小さくされ、底板２２Ａの他の部分よりも高い剛性（底板２２Ａの短辺方向の剛性）を有し、かつ高剛性部７０の剛性よりも小さい剛性を有している。
【００６４】
各補助剛性部７１は、第二端高剛性部７３Ｂの延長方向の一端と、第二中央高剛性部７３Ａの延長方向の一端とを連結している。補助剛性部７１は、それぞれ斜め方向（第二端高剛性部７３Ｂ側から第二中央高剛性部７３Ａ側へ向かって第一高剛性部７２に接近する向き）に延びて形成されている。なお、全ての補助剛性部７１の長さ寸法は同等とされている。
【００６５】
以上のように本実施形態においては、シャーシ２２の底板２２Ａには、冷陰極管２１の長さ寸法よりも小さい長さ寸法を有する高剛性部７０が、複数形成されている。ここで、一般に、シャーシの底板は、例えばシャーシの裏側に回路基板等を固定するための凹凸形状が形成されるなど複雑な形状をなしており、冷陰極管と同等の長さ寸法を有する高剛性部を、底板の全体にわたって形成することが難しい場合があり得る。このような場合には、本実施形態のように、長さ寸法の小さい高剛性部（第一高剛性部７２）を複数形成することが有利である。
【００６６】
また、シャーシ２２の底板２２Ａには、長さ寸法の異なる複数の高剛性部７０が形成され、複数の高剛性部７０のうち長さ寸法の大きい第一高剛性部７２が、底板２２Ａの中央部に形成され、複数の高剛性部７０のうち第一高剛性部７２よりも長さ寸法の小さい第二高剛性部７３が、底板２２Ａのうち第一高剛性部７２を間に挟んで対称となる位置に形成されている。これにより、バランスよく、底板２２Ａの剛性を高めることができる。
【００６７】
＜他の実施形態＞
本発明は上記記述及び図面によって説明した実施形態に限定されるものではなく、例えば次のような実施形態も本発明の技術的範囲に含まれる。
【００６８】
（１）上記実施形態では、シャーシ２２を金属製の板金よりなるものとしたが、樹脂成形よりなるものとしても良い。
（２）上記実施形態では、高剛性部５０（７０）は、シャーシ２２の底板２２Ａを裏側に突出させることで形成された突条であるが、これに限らず、高剛性部は、シャーシの底板の他の部分よりも高い剛性を有していればどのような形態のものであってもよく、例えば、底板を表側に突出させることで形成された突条であってもよいし、また、シャーシとは別体の棒部材等を、底板と一体になるように取り付けることで形成されたものであってもよい。また、底板の板厚寸法を部分的に厚くすることで、高剛性部を形成するようにしてもよい。
【００６９】
（３）上記実施形態では、底板２２Ａに形成された高剛性部５０（７０）は、全てが同等の剛性を有するものとされているが、これに限らず、異なる剛性を有する複数種の高剛性部を底板に形成してもよい。
（４）上記実施形態では、底板２２Ａに形成された高剛性部５０（７０）は、全てが底板２２Ａのうち隣り合う冷陰極管２１の間となる位置に形成されているが、これに限らず、高剛性部を、冷陰極管と表裏に重なる位置に形成してもよい。
【００７０】
（５）上記実施形態では、スタンド４０に備えられた補強柱４３は２本とされているが、これに限らず、１本、または３本以上であってもよい。
（６）上記実施形態では、スタンド４０に備えられた補強柱４３は鉛直方向に延びるものとされているが、これに加えて、例えば水平方向もしくは斜め方向に延びる補強柱を備えるものとしてもよい。
【００７１】
（７）上記実施形態では、線状光源として冷陰極管２１を使用した場合を示したが、例えば熱陰極管など他の種類の線状光源を用いてもよい。
（８）上記実施形態では、表示パネルとして液晶パネル１１を用いた液晶表示装置１０を例示したが、他の種類の表示パネルを用いた表示装置にも本発明は適用可能である。
【００７２】
（９）実施形態２および実施形態３では、補助剛性部６０（７１）は、その幅寸法および突出寸法がともに高剛性部５０（７０）の幅寸法および突出寸法よりも小さくされているが、これに限らず、例えば補助剛性部の幅寸法はそのままで、突出寸法のみを高剛性部よりも小さくするようにしてもよい。
【符号の説明】
【００７３】
ＴＶ…テレビ受信装置、１０…液晶表示装置（表示装置）、１１…液晶パネル（表示パネル）、２０…照明装置（表示装置用照明装置）、２１…冷陰極管（線状光源）、２２…シャーシ、２２Ａ…底板、３０…ランプクリップ（ランプ保持部材）、４０…スタンド、４３…補強柱、５０，７０…高剛性部、６０，７１…補助剛性部、６０Ａ…第一補助剛性部、６０Ｂ…第二補助剛性部、７２…第一高剛性部、７３…第二高剛性部、７３Ａ…第二中央高剛性部、７３Ｂ…第二端高剛性部
【図１】
2012003978.tif 000003
【図２】
2012003978.tif 000004
【図３】
2012003978.tif 000005
【図４】
2012003978.tif 000006
【図５】
2012003978.tif 000007
【図６】
2012003978.tif 000008
【図７】
2012003978.tif 000009
【図８】
2012003978.tif 000010